(57)【要約】【課題】キーボード部の角度を調整して操作性を向上させることができるキーボード装置及び該キーボード装置と携帯用情報機器とを備える電子機器を提供する。【解決手段】キーボード装置１０は、携帯用情報機器であるタブレット型ＰＣ１２の一側面１２ａに沿って配設された機器側装着用磁石３０ａＳ，３０ｂＮ，３０ｃＳ，３０ｄＮに対して吸着可能な装着用磁石４８ａＮ，４８ｂＳ，４８ｃＮ，４８ｄＳを有する装着部４４と、装着部４４とキーボード部４０との間を連結するフレキシブルヒンジ部４６と、フレキシブルヒンジ部４６に設けられ、フレキシブルヒンジ部４６の装着部４４側からキーボード部４０側に向かって互いに間隔を介して並設された第１磁石５０ａＮ〜５０ｆＮ及び第２磁石５２ａＳ〜５２ｆＳとを備える。【選択図】図１
2017117269.tif 000002
【特許請求の範囲】
【請求項１】
携帯用情報機器に着脱可能に装着され、前記携帯用情報機器に対する入力操作を行うキーボード部を備えたキーボード装置であって、
前記携帯用情報機器の一側面に沿って配設された機器側装着用磁石に対して吸着可能な装着用磁石を有する装着部と、
前記装着部と前記キーボード部との間を連結するフレキシブルヒンジ部と、
前記フレキシブルヒンジ部に設けられ、該フレキシブルヒンジ部の前記装着部側から前記キーボード部側に向かって互いに間隔を介して並設された第１磁石及び第２磁石と、
を備えることを特徴とするキーボード装置。
【請求項２】
請求項１記載のキーボード装置において、
前記第１磁石と前記第２磁石とは、当該キーボード装置の表面に臨む極が逆に設定されていることを特徴とするキーボード装置。
【請求項３】
請求項１又は２記載のキーボード装置と、前記携帯用情報機器とを備える電子機器であって、
前記携帯用情報機器は、前記一側面に直交する方向で前記機器側装着用磁石の一方側に設けられた機器側第１磁石と、前記一側面に直交する方向で前記機器側装着用磁石の他方側に設けられた機器側第２磁石及び機器側第３磁石とを有することを特徴とする電子機器。
【請求項４】
請求項３記載の電子機器において、
前記機器側第１磁石と前記機器側第２磁石とは、前記携帯用情報機器の表面に臨む極が同一に設定され、
前記機器側第２磁石と前記機器側第３磁石とは、前記携帯用情報機器の表面に臨む極が逆に設定されていることを特徴とする電子機器。
【請求項５】
請求項４記載の電子機器において、
前記キーボード装置の装着用磁石を前記携帯用情報機器の機器側装着用磁石に吸着させた状態で、前記フレキシブルヒンジ部の前記装着部と前記第１磁石との間となる位置を折り返した場合に、前記第２磁石を前記機器側第１磁石に吸着可能であることを特徴とする電子機器。
【請求項６】
請求項４又は５記載の電子機器において、
前記キーボード装置の装着用磁石を前記携帯用情報機器の機器側装着用磁石に吸着させ、前記第１磁石を前記機器側第２磁石に吸着させた状態で、前記フレキシブルヒンジ部の前記第１磁石と前記第２磁石との間となる位置を折り返した場合に、前記第１磁石と前記第２磁石の前記キーボード装置の裏面に臨む極同士を吸着可能であることを特徴とする電子機器。
【請求項７】
請求項４〜６のいずれか１項に記載の電子機器において、
前記キーボード装置の装着用磁石を前記携帯用情報機器の機器側装着用磁石に吸着させ、前記第１磁石を前記機器側第２磁石に吸着させた状態で、前記第２磁石を前記機器側第３磁石に吸着可能であることを特徴とする電子機器。
【請求項８】
請求項３〜７のいずれか１項に記載の電子機器において、
前記携帯用情報機器は、前記機器側装着用磁石を設けた表面の裏面側となる背面に前記装着用磁石を吸着可能な機器側収納用磁石を有することを特徴とする電子機器。
【請求項９】
請求項３〜８のいずれか１項に記載の電子機器において、
前記携帯用情報機器は、タッチ操作可能なディスプレイを備えたタブレット型のパーソナルコンピュータであり、その背面に該携帯用情報機器を起立姿勢に保持するスタンド部を備えることを特徴とする電子機器。
【発明の詳細な説明】
【技術分野】
【０００１】
本発明は、携帯用情報機器に対して着脱可能なキーボード装置及び該キーボード装置と携帯用情報機器とを備える電子機器に関する。
【背景技術】
【０００２】
近年、タッチパネル式の液晶ディスプレイを有し、物理的なキーボードを持たないタブレット型のパーソナルコンピュータ（タブレット型ＰＣ）が急速に普及している。タブレット型ＰＣは持ち運びが容易で入力作業もタッチパネルによって行うことができるため操作が容易である。しかしながら、タブレット型ＰＣは物理的なキーボードを持たないため、例えば長文の入力作業等に支障を生じる場合がある。
【０００３】
そこで本出願人は特許文献１において、タブレット型ＰＣを着脱可能であってタブレット型ＰＣのスタンドとして機能するキーボード装置を提案している。
【先行技術文献】
【特許文献】
【０００４】
【特許文献１】特開２０１５−８７９０８号公報
【発明の概要】
【発明が解決しようとする課題】
【０００５】
上記特許文献１記載の構成ではキーボード装置に設けたスタンド機能によりタブレット型ＰＣの起立角度を調整できるものの、キーボード部の角度は一定に設定されている。
【０００６】
ところで、タブレット型ＰＣのような可搬性に優れた携帯用情報機器は机上だけでなく、例えば着席した使用者の膝上等に載置して使用される場合もあり、キーボード装置を装着した場合でも同様な使用形態が想定される。ところが、上記特許文献１記載の構成ではキーボード部の角度が一定に設定されている。このため、机上や膝上等の使用形態によってはキーボード部の操作性が低下する可能性があり、キーボード部の角度を調整できる構成に対する要望がある。
【０００７】
本発明は、上記従来技術の課題を考慮してなされたものであり、キーボード部の角度を調整して操作性を向上させることができるキーボード装置及び該キーボード装置と携帯用情報機器とを備える電子機器を提供することを目的とする。
【課題を解決するための手段】
【０００８】
本発明に係るキーボード装置は、携帯用情報機器に着脱可能に装着され、前記携帯用情報機器に対する入力操作を行うキーボード部を備えたキーボード装置であって、前記携帯用情報機器の一側面に沿って配設された機器側装着用磁石に対して吸着可能な装着用磁石を有する装着部と、前記装着部と前記キーボード部との間を連結するフレキシブルヒンジ部と、前記フレキシブルヒンジ部に設けられ、該フレキシブルヒンジ部の前記装着部側から前記キーボード部側に向かって互いに間隔を介して並設された第１磁石及び第２磁石とを備えることを特徴とする。
【０００９】
このような構成によれば、キーボード装置は、キーボード部と装着部との間にフレキシブルヒンジ部を備えるため、携帯用情報機器に対して装着部を装着した状態でフレキシブルヒンジ部を介してキーボード部を所望の角度姿勢に配置でき、携帯用情報機器をノート型ＰＣのように使用することが可能となる。しかも、フレキシブルヒンジ部には互いに間隔を介して並設された第１磁石及び第２磁石が設けられている。このため、これら第１磁石及び第２磁石を携帯用情報機器側の他の磁石に適宜吸着させることで、キーボード部の設置角度を３段階に調整して操作性を向上させることができる。
【００１０】
前記第１磁石と前記第２磁石とは、当該キーボード装置の表面に臨む極が逆に設定された構成であってもよい。そうすると、例えばフレキシブルヒンジ部を折り返して第１磁石と第２磁石との間を互いに吸着させることができ、キーボード部の設置角度の調整自由度が向上する。
【００１１】
また、本発明に係る電子機器は、上記構成のキーボード装置と、前記携帯用情報機器とを備える電子機器であって、前記携帯用情報機器は、前記一側面に直交する方向で前記機器側装着用磁石の一方側に設けられた機器側第１磁石と、前記一側面に直交する方向で前記機器側装着用磁石の他方側に設けられた機器側第２磁石及び機器側第３磁石とを有することを特徴とする。
【００１２】
このような構成によれば、キーボード装置の第１磁石及び第２磁石を、携帯用情報機器側の機器側第１磁石、機器側第２磁石及び機器側第３磁石に適宜吸着させることができ、キーボード部の設置角度の調整自由度が確保される。
【００１３】
前記機器側第１磁石と前記機器側第２磁石とは、前記携帯用情報機器の表面に臨む極が同一に設定され、前記機器側第２磁石と前記機器側第３磁石とは、前記携帯用情報機器の表面に臨む極が逆に設定された構成であってもよい。そうすると、キーボード装置の表面に臨む極が逆に設定された第１磁石及び第２磁石を高い配置自由度で携帯用情報機器側の各磁石に吸着させることができ、キーボード部の設置角度の調整自由度が確保される。
【００１４】
前記キーボード装置の装着用磁石を前記携帯用情報機器の機器側装着用磁石に吸着させた状態で、前記フレキシブルヒンジ部の前記装着部と前記第１磁石との間となる位置を折り返した場合に、前記第２磁石を前記機器側第１磁石に吸着可能な構成であってもよい。
【００１５】
前記キーボード装置の装着用磁石を前記携帯用情報機器の機器側装着用磁石に吸着させ、前記第１磁石を前記機器側第２磁石に吸着させた状態で、前記フレキシブルヒンジ部の前記第１磁石と前記第２磁石との間となる位置を折り返した場合に、前記第１磁石と前記第２磁石の前記キーボード装置の裏面に臨む極同士を吸着可能な構成であってもよい。
【００１６】
前記キーボード装置の装着用磁石を前記携帯用情報機器の機器側装着用磁石に吸着させ、前記第１磁石を前記機器側第２磁石に吸着させた状態で、前記第２磁石を前記機器側第３磁石に吸着可能な構成であってもよい。
【００１７】
前記携帯用情報機器は、前記機器側装着用磁石を設けた表面の裏面側となる背面に前記装着用磁石を吸着可能な機器側収納用磁石を有する構成であってもよい。そうすると、例えばキーボード装置を携帯用情報機器の背面側に吸着した収納姿勢とすることができる。
【００１８】
前記携帯用情報機器は、タッチ操作可能なディスプレイを備えたタブレット型のパーソナルコンピュータであり、その背面に該携帯用情報機器を起立姿勢に保持するスタンド部を備える構成であってもよい。
【発明の効果】
【００１９】
本発明によれば、キーボード装置は、キーボード部と装着部との間にフレキシブルヒンジ部を備えるため、携帯用情報機器に対して装着部を装着した状態でフレキシブルヒンジ部を介してキーボード部を所望の角度姿勢に配置でき、携帯用情報機器をノート型ＰＣのように使用することが可能となる。しかも、フレキシブルヒンジ部には互いに間隔を介して並設された第１磁石及び第２磁石が設けられている。このため、これら第１磁石及び第２磁石を携帯用情報機器側の他の磁石に適宜吸着させることで、キーボード部の設置角度を３段階に調整して操作性を向上させることができる。
【図面の簡単な説明】
【００２０】
【図１】図１は、本発明の一実施形態に係るキーボード装置をタブレット型ＰＣに装着した電子機器の斜視図である。
【図２】図２は、キーボード装置の装着対象となるタブレット型ＰＣの一構成例を示す正面図である。
【図３】図３は、図２に示すタブレット型ＰＣの背面図である。
【図４】図４は、図２に示すタブレット型ＰＣから拡張装置を取り外した状態での正面図である。
【図５】図５は、キーボード装置の構成例を示す平面図である。
【図６】図６は、タブレット型ＰＣに装着したキーボード装置の設置角度を最小にした状態を示す要部拡大側面図である。
【図７】図７は、図６に示す状態からキーボード装置の設置角度を大きくした状態を示す要部拡大側面図である。
【図８】図８は、図７に示す状態からキーボード装置の設置角度をさらに大きくして最大にした状態を示す要部拡大側面図である。
【図９】図９は、タブレット型ＰＣに装着したキーボード装置を収納形態とした要部拡大側面図であり、図９（Ａ）は、キーボード装置をタブレット型ＰＣの表面側に収納した状態を示す図であり、図９（Ｂ）は、キーボード装置をタブレット型ＰＣの背面側に収納した状態を示す図である。
【図１０】図１０は、図２に示す拡張装置としてプロジェクタモジュールを備えた構成を示した図である。
【図１１】図１１は、タブレット型ＰＣからカバー部材を取り外した状態での正面図である。
【図１２】図１２は、カバー部材を装着したタブレット型ＰＣの構成図であり、図１２（Ａ）は、背面図、図１２（Ｂ）は、底面図である。
【図１３】図１３は、カバー部材を用いたタブレット型ＰＣに装着したキーボード装置の設置角度を最小にした状態を示す要部拡大側面図である。
【図１４】図１４は、図１３に示す状態からキーボード装置の設置角度を大きくして最大にした状態を示す要部拡大側面図である。
【図１５】図１５は、カバー部材を用いたタブレット型ＰＣに装着したキーボード装置を収納形態とした要部拡大側面図であり、図１５（Ａ）は、キーボード装置をタブレット型ＰＣの表面側に収納した状態を示す図であり、図１５（Ｂ）は、キーボード装置をタブレット型ＰＣの背面側に収納した状態を示す図である。
【発明を実施するための形態】
【００２１】
以下、本発明に係るキーボード装置について、この装置を備えた電子機器を例示して好適な実施の形態を挙げ、添付の図面を参照しながら詳細に説明する。
【００２２】
図１は、本発明の一実施形態に係るキーボード装置１０をタブレット型ＰＣ１２に装着した電子機器１４の斜視図である。
【００２３】
本実施形態に係るキーボード装置１０は、タブレット型ＰＣ１２の一側面１２ａの近傍に磁石を用いて着脱可能に装着され、タブレット型ＰＣ１２に対する入力手段として機能する。さらに当該キーボード装置１０は、タブレット型ＰＣ１２に対して装着された状態で最大３段階に角度調整を行うことができる。キーボード装置１０はタブレット型ＰＣ１２以外の携帯用情報機器、例えばスマートフォンや各種端末装置を装着対象としてもよい。
【００２４】
図２は、キーボード装置１０の装着対象となるタブレット型ＰＣ１２の一構成例を示す正面図であり、図３は、図２に示すタブレット型ＰＣ１２の背面図である。また、図４は、図２に示すタブレット型ＰＣ１２から拡張装置１６を取り外した状態での正面図である。
【００２５】
図１及び図２に示すように、タブレット型ＰＣ１２は、タッチパネル式の液晶表示部からなるディスプレイ１７を表面１２ｂに備える。タブレット型ＰＣ１２は、その内部に基板、図示しない演算装置及びメモリ等の各種電子部品を収納している。タブレット型ＰＣ１２の一側面１２ａには、拡張装置１６が着脱可能に装着される。
【００２６】
図３に示すように、タブレット型ＰＣ１２は、ディスプレイ１７側の表面１２ｂの裏面となる背面１２ｃにスタンド部１８を備える。スタンド部１８は、一側面１２ａ近傍で該一側面１２ａに沿った軸方向を有する回動軸１８ａを中心に回動可能な矩形状のプレートである。スタンド部１８は、回動軸１８ａを中心に開放端１８ｂを背面１２ｃから離間する方向に略９０度回動させることで該背面１２ｃから略垂直方向に突出する。これによりスタンド部１８は、例えば図１に示すような所望の起立姿勢にタブレット型ＰＣ１２を起立保持することが可能となる。
【００２７】
拡張装置１６は、タブレット型ＰＣ１２の一側面１２ａに着脱可能に装着されることで、タブレット型ＰＣ１２の電源機能及び周辺機器やネットワークに対する拡張機能等を拡張・補強するカートリッジ型の装置である。拡張装置１６の筐体は、一側側に絞り形状を有し、タブレット型ＰＣ１２の一側面１２ａに沿って延在する断面略涙形の棒形状に形成されている（図６参照）。拡張装置１６は、接続端子部１９がタブレット型ＰＣ１２の端子２０に接続されることにより、タブレット型ＰＣ１２に対して各種接続ポートやバッテリ装置等を増設することができる。
【００２８】
図４に示すように、拡張装置１６は、その一側面１６ａにタブレット型ＰＣ１２に対する着脱部となる位置決め突起２２及びフック２４が突設されている。位置決め突起２２は一側面１６ａに左右一対設けられ、タブレット型ＰＣ１２側の図示しない位置決め穴に挿入される。フック２４は一側面１６ａに左右一対設けられ、タブレット型ＰＣ１２側の図示しない係合穴に係合される。タブレット型ＰＣ１２に装着された状態でディスプレイ１７側となる拡張装置１６の表面１６ｂの中央には、キーボード装置１０の接続端子部２５（図５参照）と電気的に接続される端子２６が配置されている。タブレット型ＰＣ１２に装着された状態でスタンド部１８側となる拡張装置１６の背面１６ｃには、フック２４を係合方向及び係合解除方向に進退させる着脱操作レバー２７が左右一対設けられている（図３参照）。
【００２９】
拡張装置１６は、タブレット型ＰＣ１２に装着された状態で、その表面１６ｂがタブレット型ＰＣ１２側の表面１２ｂと略面一となり、これら表面１２ｂ，１６ｂが全体としてタブレット型ＰＣ１２の表面を形成する。
【００３０】
図２及び図４に示すように、タブレット型ＰＣ１２の表面１２ｂ，１６ｂの内側には、一側面１２ａ（１６ａ）の長手方向に直交するＹ方向で拡張装置１６側からタブレット型ＰＣ１２側に向かって順に、機器側第１磁石列２８、機器側装着用磁石列３０、機器側第２磁石列３２及び機器側第３磁石列３４が互いに間隔を介して平行に並んでいる。
【００３１】
機器側装着用磁石列３０は、表面１６ｂに所定の極が臨むように拡張装置１６内に配設されている。機器側装着用磁石列３０は、一側面１２ａ（１６ａ）の長手方向に沿うＸ方向に並んだ４つの機器側装着用磁石３０ａＳ，３０ｂＮ，３０ｃＳ，３０ｄＮ（以下、単に「磁石３０ａＳ，３０ｂＮ，３０ｃＳ，３０ｄＮ」ともいう）を備える。磁石３０ａＳ，３０ｃＳは、表面１６ｂにＳ極が臨んで吸着可能に配置され、磁石３０ｂＮ，３０ｄＮは、表面１６ｂにＮ極が臨んで吸着可能に配置されている。磁石３０ａＳ，３０ｂＮは表面１６ｂの中央に設けられた端子２６の一方側に対となって互いに隣接配置され、磁石３０ｃＳ，３０ｄＮは端子２６の他方側に対となって互いに隣接配置されている。
【００３２】
機器側第１磁石列２８は、機器側装着用磁石列３０のＹ方向で一方側（図２中で下側）において、表面１６ｂに所定の極が臨むように該拡張装置１６内に配設されている。機器側第１磁石列２８は、Ｘ方向に並んだ４つの機器側第１磁石２８ａＳ，２８ｂＳ，２８ｃＳ，２８ｄＳ（以下、単に「磁石２８ａＳ〜２８ｄＳ」ともいう）を備える。磁石２８ａＳ〜２８ｄＳは、表面１６ｂにＳ極が臨んで吸着可能に配置されている。両端側の磁石２８ａＳ，２８ｄＳは、拡張装置１６の左右両端部付近にそれぞれ配置されている。中央側の磁石２８ｂＳ，２８ｃＳは、それぞれ機器側装着用磁石３０ａＳ，３０ｄＮとＹ方向に並びＸ方向位置が一致している。
【００３３】
機器側第２磁石列３２は、機器側装着用磁石列３０のＹ方向で他方側（図２中で上側）において、表面１６ｂに所定の極が臨むように拡張装置１６内に配設されている。機器側第２磁石列３２は、Ｘ方向に並んだ４つの機器側第２磁石３２ａＳ，３２ｂＳ，３２ｃＳ，３２ｄＳ（以下、単に「磁石３２ａＳ〜３２ｄＳ」ともいう）を備える。磁石３２ａＳ〜３２ｄＳは、表面１６ｂにＳ極が臨んで吸着可能に配置されている。両端側の磁石３２ａＳ，３２ｄＳは、拡張装置１６の左右両端部付近にそれぞれ配置され、機器側第１磁石２８ａＳ，２８ｄＳとＹ方向に並びＸ方向位置が一致している。中央側の磁石３２ｂＳ，３２ｃＳは、それぞれ機器側装着用磁石３０ａＳ，３０ｄＮ（機器側第１磁石２８ｂＳ，２８ｃＳ）とＹ方向に並びＸ方向位置が一致している。
【００３４】
機器側第３磁石列３４は、機器側第２磁石列３２のＹ方向で他方側（図２中で上側）において、表面１２ｂに所定の極が臨むようにタブレット型ＰＣ１２内に配設されている。機器側第３磁石列３４は、Ｘ方向に並んだ６つの機器側第３磁石３４ａＮ，３４ｂＮ，３４ｃＮ，３４ｄＮ，３４ｅＮ，３４ｆＮ（以下、単に「磁石３４ａＮ〜３４ｆＮ」ともいう）を備える。磁石３４ａＮ〜３４ｆＮは、表面１２ｂにＮ極が臨んで吸着可能に配置されている。両端側の磁石３４ａＮ，３４ｄＮは、タブレット型ＰＣ１２の左右両端部付近にそれぞれ配置され、機器側第１磁石２８ａＳ，２８ｄＳ（機器側第２磁石３２ａＳ，３２ｄＳ）とＹ方向に並びＸ方向位置が一致している。中央側の磁石３４ｂＮ，３４ｃＮは、それぞれ機器側装着用磁石３０ａＳ，３０ｄＮ（機器側第１磁石２８ｂＳ，２８ｃＳ、機器側第２磁石３２ｂＳ，３２ｃＳ）とＹ方向に並びＸ方向位置が一致している。残りの磁石３４ｅＮ，３４ｆＮは、それぞれ磁石３４ａＮ，３４ｂＮ間、磁石３４ｃＮ，３４ｄＮ間となる位置に配置されている。
【００３５】
図３に示すように、タブレット型ＰＣ１２の背面１２ｃ、本実施形態では拡張装置１６の背面１６ｃの内側には、機器側収納用磁石列３６が設けられている。
【００３６】
機器側収納用磁石列３６は、背面１６ｃに所定の極が臨むように該拡張装置１６内に配設されている。機器側収納用磁石列３６は、Ｘ方向に並んだ４つの機器側収納用磁石３６ａＳ，３６ｂＮ，３６ｃＳ，３６ｄＮ（以下、単に「磁石３６ａＳ，３６ｂＮ，３６ｃＳ，３６ｄＮ」ともいう）を備える。磁石３６ａＳ，３６ｃＳは、背面１６ｃにＳ極が臨んで吸着可能に配置され、磁石３６ｂＮ，３６ｄＮは、背面１６ｃにＮ極が臨んで吸着可能に配置されている。磁石３６ａＳ，３６ｂＮ，３６ｃＳ，３６ｄＮの配列ピッチは、機器側装着用磁石３０ａＳ，３０ｂＮ，３０ｃＳ，３０ｄＮの配列ピッチと同一ピッチに設定されている。
【００３７】
図５は、キーボード装置１０の構成例を示す平面図である。
【００３８】
図１及び図５に示すように、キーボード装置１０は、キーボード部４０及びタッチパッド４２を備え、タブレット型ＰＣ１２に対する入力手段となる装置である。キーボード装置１０の幅寸法（Ｘ方向寸法）は、タブレット型ＰＣ１２の幅寸法と略一致している。キーボード装置１０は、タブレット型ＰＣ１２に対して着脱可能に装着される装着部４４と、装着部４４とキーボード部４０との間を連結するフレキシブルヒンジ部４６とを備える。
【００３９】
装着部４４は、キーボード装置１０の幅寸法より僅かに小さい幅寸法に形成されてＸ方向に延在する棒状部材である。装着部４４の中央には、タブレット型ＰＣ１２側の端子２６と電気的に接続される接続端子部２５が配設されている。装着部４４は、例えば長手方向に沿った芯材が内部に収容されることである程度の剛性を有する。キーボード部４０側にある装着部４４の表面４４ａの内側には、装着用磁石列４８が設けられている。
【００４０】
装着用磁石列４８は、表面４４ａに所定の極が臨むように該装着部４４内に配設されている。装着用磁石列４８は、装着部４４の長手方向に沿うＸ方向に並んだ中央側の４つの装着用磁石４８ａＮ，４８ｂＳ，４８ｃＮ，４８ｄＳ（以下、単に「磁石４８ａＮ，４８ｂＳ，４８ｃＮ，４８ｄＳ」ともいう）と、左右両端側にそれぞれ一対ずつ並んだ４つの補助装着用磁石４８ｅＮ，４８ｆＮ，４８ｇＮ，４８ｈＮ（以下、単に「磁石４８ｅＮ〜４８ｈＮ」ともいう）とを備える。磁石４８ａＮ，４８ｃＮ，４８ｅＮ〜４８ｈＮは、表面４４ａにＮ極が臨んで吸着可能に配置され、磁石４８ｂＳ，４８ｄＳは、表面４４ａにＳ極が臨んで吸着可能に配置されている。
【００４１】
磁石４８ａＮ，４８ｂＳは接続端子部２５の一方側に対となって互いに隣接配置され、磁石４８ｃＮ，４８ｄＳは接続端子部２５の他方側に対となって互いに隣接配置されている。磁石４８ａＮ，４８ｂＳ，４８ｃＮ，４８ｄＳの配列ピッチは、タブレット型ＰＣ１２側の機器側装着用磁石３０ａＳ，３０ｂＮ，３０ｃＳ，３０ｄＮ（機器側収納用磁石３６ａＳ，３６ｂＮ，３６ｃＳ，３６ｄＮ）の配列ピッチと同一ピッチに設定されると共に、Ｎ極Ｓ極が逆転配置されている。
【００４２】
両端側の磁石４８ｅＮ，４８ｈＮは、装着部４４の左右両端部付近にそれぞれ配置され、これら磁石４８ｅＮ，４８ｈＮと磁石４８ａＮ，４８ｄＳとの間に磁石４８ｆＮ，４８ｇＮが配置されている。これら磁石４８ｅＮ〜４８ｈＮは、後述するカバー部材６０の装着用として利用される。
【００４３】
フレキシブルヒンジ部４６は、装着部４４とキーボード部４０との間を柔軟性を持って連結するヒンジ状部分である。フレキシブルヒンジ部４６は、少なくともＸ方向に沿って折曲可能な材質、例えば薄い樹脂や皮革等のシート状部材によって形成されている。フレキシブルヒンジ部４６には、Ｙ方向で装着部４４側からキーボード部４０側に向かって順に、第１磁石列５０及び第２磁石列５２が互いに間隔を介して平行に並んでいる。
【００４４】
第１磁石列５０は、フレキシブルヒンジ部４６の内部にＸ方向に延在する芯材５４が収容されることである程度の剛性を有した帯状部分に配列されている。第１磁石列５０は、芯材５４の延在方向となるＸ方向に並んだ６つの第１磁石５０ａＮ，５０ｂＮ，５０ｃＮ，５０ｄＮ，５０ｅＮ，５０ｆＮ（以下、単に「磁石５０ａＮ〜５０ｆＮ」ともいう）を備える。磁石５０ａＮ〜５０ｆＮは、フレキシブルヒンジ部４６の表面４６ａにＮ極が臨んで吸着可能に配置されている。磁石５０ａＮ〜５０ｆＮの配列ピッチは、タブレット型ＰＣ１２側の機器側第３磁石３４ａＮ〜３４ｆＮ（機器側第１磁石２８ａＳ〜２８ｄＳ、機器側第２磁石３２ａＳ〜３２ｄＳ）の配列ピッチと同一ピッチに設定されている。
【００４５】
第２磁石列５２は、フレキシブルヒンジ部４６の内部にＸ方向に延在する芯材５５が収容されることである程度の剛性を有した帯状部分に配列されている。第２磁石列５２は、芯材５５の延在方向となるＸ方向に並んだ６つの第２磁石５２ａＳ，５２ｂＳ，５２ｃＳ，５２ｄＳ，５２ｅＳ，５２ｆＳ（以下、単に「磁石５２ａＳ〜５２ｆＳ」ともいう）を備える。磁石５２ａＳ〜５２ｆＳは、フレキシブルヒンジ部４６の表面４６ａにＳ極が臨んで吸着可能に配置されている。磁石５２ａＳ〜５２ｆＳの配列ピッチは、磁石５０ａＮ〜５０ｆＮの配列ピッチ、つまりタブレット型ＰＣ１２側の機器側第３磁石３４ａＮ〜３４ｆＮ（機器側第１磁石２８ａＳ〜２８ｄＳ、機器側第２磁石３２ａＳ〜３２ｄＳ）の配列ピッチと同一ピッチに設定されている。
【００４６】
なお、フレキシブルヒンジ部４６は、薄いシート状部材で形成されているため、その表面４６ａにＮ極が臨んでいる磁石５０ａＮ〜５０ｆＮは、キーボード装置１０の裏面に臨む背面４６ｂに対してはＳ極が臨む配置となっている。同様に、表面４６ａにＳ極が臨んでいる磁石５２ａＳ〜５２ｆＳは、背面４６ｂに対してはＮ極が臨む配置となっている。
【００４７】
図６は、タブレット型ＰＣ１２に装着したキーボード装置１０の設置角度を最小にした状態を示す要部拡大側面図であり、図７は、図６に示す状態からキーボード装置１０の設置角度を大きくした状態を示す要部拡大側面図であり、図８は、図７に示す状態からキーボード装置１０の設置角度をさらに大きくして最大にした状態を示す要部拡大側面図である。また、図９は、タブレット型ＰＣ１２に装着したキーボード装置１０を収納形態とした要部拡大側面図であり、図９（Ａ）は、キーボード装置１０をタブレット型ＰＣ１２の表面１２ｂ側に収納した状態を示す図であり、図９（Ｂ）は、キーボード装置１０をタブレット型ＰＣ１２の背面１２ｃ側に収納した状態を示す図である。
【００４８】
先ず、キーボード装置１０をタブレット型ＰＣ１２に装着する際には、キーボード装置１０の装着部４４の表面４４ａをタブレット型ＰＣ１２の表面１６ｂに対向配置する。そして、装着用磁石列４８の４つの磁石４８ａＮ，４８ｂＳ，４８ｃＮ，４８ｄＳを機器側装着用磁石列３０の４つの磁石３０ａＳ，３０ｂＮ，３０ｃＳ，３０ｄＮに吸着させ、同時に接続端子部２５を端子２６に接続する。これにより、図６に示すように、キーボード装置１０が装着部４４を介してタブレット型ＰＣ１２の表面１６ｂに装着され、両者が電気的にも接続される。なお、キーボード装置１０とタブレット型ＰＣ１２との間は無線によって通信可能に接続されてもよい。
【００４９】
この状態で、スタンド部１８を介してタブレット型ＰＣ１２を一側面１２ａ側を下にして起立させ、図６に示すようにフレキシブルヒンジ部４６の装着部４４と第１磁石列５０との間となる位置をＸ方向に沿って下方に折り返す。続いて、キーボード装置１０側の第２磁石列５２の４つの磁石５２ａＳ〜５２ｄＳにおける背面４６ｂ側に臨むＮ極をタブレット型ＰＣ１２側の機器側第１磁石列２８の４つの磁石２８ａＳ〜２８ｄＳに吸着させる。そうすると、図１及び図６に示すように、キーボード装置１０のキーボード部４０を略水平方向に沿った最小の設置角度に設定したノート型ＰＣとしての使用形態となる。
【００５０】
次に、装着部４４を介してキーボード装置１０をタブレット型ＰＣ１２に装着し、スタンド部１８を介してタブレット型ＰＣ１２を起立させる。また、図７に示すようにキーボード装置１０側の第１磁石列５０の４つの磁石５０ａＮ〜５０ｄＮをタブレット型ＰＣ１２側の機器側第２磁石列３２の４つの磁石３２ａＳ〜３２ｄＳに吸着させる。続いて、フレキシブルヒンジ部４６の第１磁石列５０と第２磁石列５２との間となる位置をＸ方向に沿って下方に折り返し、第１磁石列５０の６つの磁石５０ａＮ〜５０ｆＮにおける背面４６ｂ側に臨むＳ極と、第２磁石列５２の６つの磁石５２ａＳ〜５２ｆＳにおける背面４６ｂ側に臨むＮ極とを吸着させる。そして、フレキシブルヒンジ部４６のキーボード部４０と第２磁石列５２との間となる位置をキーボード部４０が前方に延在するようにＸ方向に沿って折り返す。そうすると、図７に示すように、キーボード装置１０のキーボード部４０を図６に示す設置角度よりも後端部を上位置に配置し、前下がりに傾斜させた中間の設置角度に設定したノート型ＰＣとしての使用形態となる。
【００５１】
次に、装着部４４を介してキーボード装置１０をタブレット型ＰＣ１２に装着し、スタンド部１８を介してタブレット型ＰＣ１２を起立させる。また、図８に示すようにキーボード装置１０側の第１磁石列５０の４つの磁石５０ａＮ〜５０ｄＮをタブレット型ＰＣ１２側の機器側第２磁石列３２の４つの磁石３２ａＳ〜３２ｄＳに吸着させる。続いて、キーボード装置１０側の第２磁石列５２の６つの磁石５２ａＳ〜５２ｆＳをタブレット型ＰＣ１２側の機器側第３磁石列３４の６つの磁石３４ａＮ〜３４ｆＮに吸着させる。そして、フレキシブルヒンジ部４６のキーボード部４０と第２磁石列５２との間となる位置をキーボード部４０が前方に延在するようにＸ方向に沿って折り返す。そうすると、図８に示すように、キーボード装置１０のキーボード部４０を図７に示す設置角度よりも後端部をさらに上位置に配置し、前下がりに大きく傾斜させた最大の設置角度に設定したノート型ＰＣとしての使用形態となる。
【００５２】
なお、機器側第３磁石列３４はタブレット型ＰＣ１２の表面１２ｂにおけるガラス面の内側に配設されるため、樹脂板の内側に配設される他の磁石列（機器側第１磁石列３０等）よりも表面１２ｂでの磁力が低下する。そこで、当該電子機器１４では、機器側第３磁石列３４の磁石設置数を他の磁石列（機器側第１磁石列３０等）の磁石設置数よりも増やすことで十分な吸着力を担保している。
【００５３】
一方、図９（Ａ）に示すようにキーボード装置１０をタブレット型ＰＣ１２の表面１２ｂ，１６ｂ側に重ね、キーボード装置１０でディスプレイ１７を覆った収納姿勢とする際には、装着部４４を介してキーボード装置１０をタブレット型ＰＣ１２に装着する。続いて、キーボード装置１０側の第１磁石列５０の４つの磁石５０ａＮ〜５０ｄＮをタブレット型ＰＣ１２側の機器側第２磁石列３２の４つの磁石３２ａＳ〜３２ｄＳに吸着させる。さらに、キーボード装置１０側の第２磁石列５２の６つの磁石５２ａＳ〜５２ｆＳをタブレット型ＰＣ１２側の機器側第３磁石列３４の６つの磁石３４ａＮ〜３４ｆＮに吸着させる。そして、キーボード部４０をディスプレイ１７を覆うように重ねる。そうすると、図９（Ａ）に示すように、キーボード装置１０でディスプレイ１７を覆った収納姿勢とすることができ、当該電子機器１４の持ち運び等に適した形態となる。
【００５４】
次に、図９（Ｂ）に示すようにキーボード装置１０をタブレット型ＰＣ１２の背面１２ｃ側に重ね、ディスプレイ１７を使用可能に露出させた収納姿勢とする際には、キーボード装置１０の装着部４４の表面４４ａをタブレット型ＰＣ１２の背面１６ｃに対向配置する。そして、装着用磁石列４８の４つの磁石４８ａＮ，４８ｂＳ，４８ｃＮ，４８ｄＳを機器側収納用磁石列３６の４つの磁石３６ａＳ，３６ｂＮ，３６ｃＳ，３６ｄＮに吸着させる。これにより、図９（Ｂ）に示すように、キーボード装置１０が装着部４４を介してタブレット型ＰＣ１２の背面１６ｃに装着される。この状態で、フレキシブルヒンジ部４６の装着部４４と第１磁石列５０との間となる位置を背面１２ｃ，１６ｃ側にＸ方向に沿って折り返し、キーボード部４０をタブレット型ＰＣ１２の背面１２ｃを覆うように重ねる。そうすると、図９（Ｂ）に示すように、キーボード装置１０で背面１２ｃ，１６ｃを覆った収納姿勢とすることができ、当該電子機器１４を手で把持した状態での使用に適した通常のタブレット型ＰＣとしての使用形態となる。
【００５５】
なお、拡張装置１６は、図１０に示すようにプロジェクタモジュール５８を搭載した構成であってもよい。プロジェクタモジュール５８は、例えば拡張装置１６の筐体に回転可能に設けられた筒形筐体５８ａと、筒形筐体５８ａの外周面に設けられた投射レンズ５８ｂと、操作ボタン５８ｃを有して構成される。拡張装置１６は、プロジェクタモジュール５８に代えて図示しない２Ｄカメラや３Ｄカメラ等のカメラモジュールを搭載していてもよい。
【００５６】
プロジェクタモジュール５８を搭載した拡張装置１６では、搭載しているプロジェクタモジュール５８を避けて磁石を配設する必要があるため、図２に示す拡張装置１６と比べて機器側第２磁石列３２の配列が多少異なっている。この拡張装置１６では、中央側の機器側第２磁石３２ｂＳ，３２ｃＳに代えて、これらより外方に位置ずれした機器側第２磁石３２ｅＳ，３２ｆＳを備える。磁石３２ｅＳ，３２ｆＳの配列ピッチは、機器側第３磁石３４ｅＮ，３４ｆＮ（キーボード装置１０側の第１磁石５０ｅＮ，５０ｆＮ、第２磁石５２ｅＳ，５２ｆＳ）の配列ピッチと同一ピッチに設定されている。
【００５７】
ところで、本実施形態に係る電子機器１４を構成するタブレット型ＰＣ１２は、拡張装置１６を装着しない単独の状態で使用されることもある。この状態では、タブレット型ＰＣ１２の表面１２ｂと一側面１２ａとの間の段差や、拡張装置１６を装着するための係合穴や凹凸形状が一側面１２ａに露出する。そこで当該電子機器１４では、タブレット型ＰＣ１２を単独で使用する場合は拡張装置１６に代えてカバー部材６０（図１１参照）を一側面１２ａに対して装着することができる。タブレット型ＰＣ１２は、装着されたカバー部材６０によって一側面１２ａ側の外面の外観品質が確保される。
【００５８】
図１１は、タブレット型ＰＣ１２からカバー部材６０を取り外した状態での正面図である。図１２は、カバー部材６０を装着したタブレット型ＰＣ１２の構成図であり、図１２（Ａ）は、背面図、図１２（Ｂ）は、底面図である。
【００５９】
図１１及び図１２に示すように、カバー部材６０は、タブレット型ＰＣ１２の一側面１２ａに沿って延在する棒形状の端部部材である。カバー部材６０はタブレット型ＰＣ１２に装着された状態で該タブレット型ＰＣ１２の外形面を形成するため、その長手方向寸法はタブレット型ＰＣ１２の一側面１２ａの幅寸法と略同一に設定してある。カバー部材６０は、その一側面６０ａにタブレット型ＰＣ１２に対する着脱部となるフック６２が複数突設されている。フック６２は、タブレット型ＰＣ１２側の図示しない係合穴に係合される。
【００６０】
カバー部材６０は、タブレット型ＰＣ１２に装着された際に端子２０に対応する位置に端子逃げ孔６４を有する。端子逃げ孔６４は端子２０を挿通させる孔部であり、カバー部材６０を装着した状態で端子２０をタブレット型ＰＣ１２の外形面となる他側面６０ｂ側から利用可能とするものである。つまり、カバー部材６０はタブレット型ＰＣ１２に装着された状態で、その他側面６０ｂがタブレット型ＰＣ１２側の底面となる。
【００６１】
カバー部材６０の他側面６０ｂの内側には、機器側装着用磁石列６６が設けられている。機器側装着用磁石列６６は、他側面６０ｂに所定の極が臨むようにカバー部材６０内に配設されている。機器側装着用磁石列６６は、カバー部材６０の長手方向に沿うＸ方向に並んだ中央側の４つの機器側装着用磁石６６ａＳ，６６ｂＮ，６６ｃＳ，６６ｄＮ（以下、単に「磁石６６ａＳ，６６ｂＮ，６６ｃＳ，６６ｄＮ」ともいう）と、左右両端側にそれぞれ一対ずつ並んだ４つの機器側補助装着用磁石６６ｅＳ，６６ｆＳ，６６ｇＳ，６６ｈＳ（以下、単に「磁石６６ｅＳ〜６６ｈＳ」ともいう）とを備える。磁石６６ａＳ，６６ｃＳ，６６ｅＳ〜６６ｈＳは、他側面６０ｂにＳ極が臨んで吸着可能に配置され、磁石６６ｂＮ，６６ｄＮは、他側面６０ｂにＮ極が臨んで吸着可能に配置されている。
【００６２】
磁石６６ａＳ，６６ｂＮは他側面６０ｂの中央に設けられた端子逃げ孔６４を通して配置される端子２０の一方側に対となって互いに隣接配置され、磁石６６ｃＳ，６６ｄＮは端子２０の他方側に対となって互いに隣接配置されている。磁石６６ａＳ，６６ｂＮ，６６ｃＳ，６６ｄＮの配列ピッチは、機器側装着用磁石３０ａＳ，３０ｂＮ，３０ｃＳ，３０ｄＮの配列ピッチと同一ピッチに設定されている。つまり、磁石６６ａＳ，６６ｂＮ，６６ｃＳ，６６ｄＮの配列ピッチは、キーボード装置１０側の磁石４８ａＮ，４８ｂＳ，４８ｃＮ，４８ｄＳの配列ピッチと同一ピッチに設定されると共に、Ｎ極Ｓ極が逆転配置されている。
【００６３】
両端側の磁石６６ｅＳ，６６ｈＳは、カバー部材６０の左右両端部付近にそれぞれ配置され、これら磁石６６ｅＳ，６６ｈＳと磁石６６ａＳ，６６ｄＮとの間に磁石６６ｆＳ，６６ｇＳが配置されている。これら磁石６６ｅＳ〜６６ｈＳの配列ピッチは、キーボード装置１０の装着部４４の補助装着用磁石４８ｅＮ〜４８ｈＮの配列ピッチと同一ピッチに設定されることで互いに吸着可能とされている。
【００６４】
図１３は、カバー部材６０を用いたタブレット型ＰＣ１２に装着したキーボード装置１０の設置角度を最小にした状態を示す要部拡大側面図であり、図１４は、図１３に示す状態からキーボード装置１０の設置角度を大きくして最大にした状態を示す要部拡大側面図である。また、図１５は、カバー部材６０を用いたタブレット型ＰＣ１２に装着したキーボード装置１０を収納形態とした要部拡大側面図であり、図１５（Ａ）は、キーボード装置１０をタブレット型ＰＣ１２の表面１２ｂ側に収納した状態を示す図であり、図１５（Ｂ）は、キーボード装置１０をタブレット型ＰＣ１２の背面１２ｃ側に収納した状態を示す図である。
【００６５】
先ず、キーボード装置１０を一側面１２ａにカバー部材６０を装着したタブレット型ＰＣ１２に装着する際には、キーボード装置１０の装着部４４の表面４４ａをタブレット型ＰＣ１２の底面となるカバー部材６０の他側面６０ｂに対向配置する。そして、装着用磁石列４８の４つの磁石４８ａＮ，４８ｂＳ，４８ｃＮ，４８ｄＳを機器側装着用磁石列６６の４つの磁石６６ａＳ，６６ｂＮ，６６ｃＳ，６６ｄＮに吸着させると共に、４つの補助装着用磁石４８ｅＮ〜４８ｈＮを４つの機器側補助装着用磁石６６ｅＳ〜６６ｈＳに吸着させる。同時に接続端子部２５を端子逃げ孔６４を挿通した端子２０に接続する。これにより、図１３に示すように、キーボード装置１０が装着部４４を介してタブレット型ＰＣ１２の底面（他側面６０ｂ）に装着され、両者が電気的にも接続される。
【００６６】
この状態で、スタンド部１８を介してタブレット型ＰＣ１２を底面に装着された装着部４４を下にして起立させ、図１３に示すようにフレキシブルヒンジ部４６の装着部４４と第１磁石列５０との間となる位置をキーボード部４０が前方に延在するようにＸ方向に沿って折り返す。そうすると、キーボード装置１０のキーボード部４０を略水平方向に沿った最小の設置角度に設定したノート型ＰＣとしての使用形態となる。
【００６７】
なお、図１３に示す使用形態でフレキシブルヒンジ部４６の第１磁石列５０と第２磁石列５２との間となる位置をＸ方向に沿って上方に山形状に折り返し、第１磁石列５０の６つの磁石５０ａＮ〜５０ｆＮにおける背面４６ｂ側に臨むＳ極を第２磁石列５２の６つの磁石５２ａＳ〜５２ｆＳにおける背面４６ｂ側に臨むＮ極に吸着させてもよい。そうすると、図１３に示す位置よりもキーボード部４０の位置がタブレット型ＰＣ１２側に近づいた位置に水平移動した使用形態となる。
【００６８】
次に、装着部４４を介してキーボード装置１０をタブレット型ＰＣ１２に装着し、スタンド部１８を介してタブレット型ＰＣ１２を起立させる。また、図１４に示すようにフレキシブルヒンジ部４６の装着部４４と第１磁石列５０との間となる位置を表面１２ｂ側にＸ方向に沿って折り返す。続いて、キーボード装置１０側の第２磁石列５２の６つの磁石５２ａＳ〜５２ｆＳをタブレット型ＰＣ１２側の機器側第３磁石列３４の６つの磁石３４ａＮ〜３４ｆＮに吸着させる。そして、フレキシブルヒンジ部４６のキーボード部４０と第２磁石列５２との間となる位置をキーボード部４０が前方に延在するようにＸ方向に沿って折り返す。そうすると、図１４に示すように、キーボード装置１０のキーボード部４０を図１３に示す設置角度よりも後端部を上位置に配置し、前下がりに傾斜させた最大の設置角度に設定したノート型ＰＣとしての使用形態となる。
【００６９】
一方、図１５（Ａ）に示すようにキーボード装置１０をタブレット型ＰＣ１２の表面１２ｂ側に重ね、キーボード装置１０でディスプレイ１７を覆った収納姿勢とする際には、装着部４４を介してキーボード装置１０をタブレット型ＰＣ１２に装着する。また、フレキシブルヒンジ部４６の装着部４４と第１磁石列５０との間となる位置を表面１２ｂ側にＸ方向に沿って折り返す。続いて、キーボード装置１０側の第２磁石列５２の６つの磁石５２ａＳ〜５２ｆＳをタブレット型ＰＣ１２側の機器側第３磁石列３４の６つの磁石３４ａＮ〜３４ｆＮに吸着させる。そして、キーボード部４０をディスプレイ１７を覆うように重ねる。そうすると、図１５（Ａ）に示すように、キーボード装置１０でディスプレイ１７を覆った収納姿勢とすることができ、当該電子機器１４の持ち運び等に適した形態となる。
【００７０】
次に、図１５（Ｂ）に示すようにキーボード装置１０をタブレット型ＰＣ１２の背面１２ｃ側に重ね、ディスプレイ１７を使用可能に露出させた収納姿勢とする際には、装着部４４を介してキーボード装置１０をタブレット型ＰＣ１２に装着する。また、フレキシブルヒンジ部４６の装着部４４と第１磁石列５０との間となる位置をＸ方向に沿って背面１２ｃ側に折り返す。続いて、フレキシブルヒンジ部４６の第１磁石列５０と第２磁石列５２の間となる位置をＸ方向に沿って背面１２ｃ側に折り返す。そうすると、図１５（Ｂ）に示すように、キーボード装置１０で背面１２ｃを覆った収納姿勢とすることができ、当該電子機器１４を手で把持した状態での使用に適した通常のタブレット型ＰＣとしての使用形態となる。
【００７１】
以上のように、本実施形態に係るキーボード装置１０は、携帯用情報機器であるタブレット型ＰＣ１２の一側面１２ａに沿って配設された機器側装着用磁石３０ａＳ，３０ｂＮ，３０ｃＳ，３０ｄＮに対して吸着可能な装着用磁石４８ａＮ，４８ｂＳ，４８ｃＮ，４８ｄＳを有する装着部４４と、装着部４４とキーボード部４０との間を連結するフレキシブルヒンジ部４６と、フレキシブルヒンジ部４６に設けられ、フレキシブルヒンジ部４６の装着部４４側からキーボード部４０側に向かって互いに間隔を介して並設された第１磁石５０ａＮ〜５０ｆＮ及び第２磁石５２ａＳ〜５２ｆＳとを備える。
【００７２】
従って、キーボード装置１０は、装着部４４の装着用磁石４８ａＮ，４８ｂＳ，４８ｃＮ，４８ｄＳをタブレット型ＰＣ１２の機器側装着用磁石３０ａＳ，３０ｂＮ，３０ｃＳ，３０ｄＮに対して吸着させることでタブレット型ＰＣ１２に着脱可能に装着することができる。この際、キーボード部４０と装着部４４との間にフレキシブルヒンジ部４６を備えるため、タブレット型ＰＣ１２に対して装着部４４を装着した状態でフレキシブルヒンジ部４６を介してキーボード部４０を所望の角度姿勢に配置でき、タブレット型ＰＣ１２をノート型ＰＣのように使用することが可能となる。しかも、フレキシブルヒンジ部４６には互いに間隔を介して並設された第１磁石５０ａＮ〜５０ｆＮ及び第２磁石５２ａＳ〜５２ｆＳが設けられている。このため、これら第１磁石５０ａＮ〜５０ｆＮ及び第２磁石５２ａＳ〜５２ｆＳをタブレット型ＰＣ１２側の他の磁石（本実施形態では機器側第１磁石２８ａＳ〜２８ｄＳ、機器側第２磁石３２ａＳ〜３２ｄＳ及び機器側第３磁石３４ａＮ〜３４ｆＮ）に適宜吸着させることで、キーボード部４０の設置角度を３段階に調整して操作性を向上させることができる。
【００７３】
この場合、第１磁石５０ａＮ〜５０ｆ及び第２磁石５２ａＳ〜５２ｆＳとは、当該キーボード装置１０の表面４０ａ，４４ａに臨む極が逆に設定されている。これにより、例えば図７に示すようにフレキシブルヒンジ部４６を折り返して第１磁石５０ａＮ〜５０ｆＮと第２磁石５２ａＳ〜５２ｆＳとの間を互いに吸着させることができ、キーボード部４０の設置角度の調整自由度を高めている。
【００７４】
本実施形態に係る電子機器１４では、タブレット型ＰＣ１２は、その一側面１２ａに直交する方向で機器側装着用磁石３０ａＳ，３０ｂＮ，３０ｃＳ，３０ｄＮの一方側に設けられた機器側第１磁石２８ａＳ〜２８ｄＳと、一側面１２ａに直交する方向で機器側装着用磁石３０ａＳ，３０ｂＮ，３０ｃＳ，３０ｄＮの他方側に設けられた機器側第２磁石３２ａＳ〜３２ｄＳ及び機器側第３磁石３４ａＮ〜３４ｆＮとを有する。これにより、キーボード装置１０の第１磁石５０ａＮ〜５０ｆＮ及び第２磁石５２ａＳ〜５２ｆＳを、タブレット型ＰＣ１２側の機器側第１磁石２８ａＳ〜２８ｄＳ、機器側第２磁石３２ａＳ〜３２ｄＳ及び機器側第３磁石３４ａＮ〜３４ｆＮに適宜吸着させることができ、キーボード部４０の設置角度の調整自由度が確保される。
【００７５】
この場合、機器側第１磁石２８ａＳ〜２８ｄＳと機器側第２磁石３２ａＳ〜３２ｄＳとは、タブレット型ＰＣ１２の表面１２ｂに臨む極が同一に設定され、機器側第２磁石３２ａＳ〜３２ｄＳと機器側第３磁石３４ａＮ〜３４ｆＮとは、タブレット型ＰＣ１２の表面１２ｂに臨む極が逆に設定されている。これにより、キーボード装置１０の表面４０ａ，４４ａに臨む極が逆に設定された第１磁石５０ａＮ〜５０ｆＮ及び第２磁石５２ａＳ〜５２ｆＳを高い配置自由度でタブレット型ＰＣ１２側の各磁石に吸着させることができ、キーボード部４０の設置角度の調整自由度が確保される。
【００７６】
なお、本発明は、上記した実施形態に限定されるものではなく、本発明の主旨を逸脱しない範囲で自由に変更できることは勿論である。
【００７７】
例えば上記実施形態では、タブレット型ＰＣ１２の本体に対して拡張装置１６又はカバー部材６０を着脱可能に装着する構成を例示したが、拡張装置１６又はカバー部材６０はタブレット型ＰＣ１２の本体と着脱不能で一体に構成されていてもよい。換言すれば、タブレット型ＰＣ１２は、キーボード装置１０側の各磁石が装着される機器側装着用磁石３０ａＳ，３０ｂＮ，３０ｃＳ，３０ｄＮ、機器側第１磁石２８ａＳ〜２８ｄＳ、機器側第２磁石３２ａＳ〜３２ｄＳ及び機器側第３磁石３４ａＮ〜３４ｆＮとを有すれば、拡張装置１６又はカバー部材６０を備えない構成であってもよい。
【符号の説明】
【００７８】
１０  キーボード装置
１２  タブレット型ＰＣ
１２ａ，１６ａ，６０ａ  一側面
１２ｂ，１６ｂ，４４ａ，４６ａ  表面
１２ｃ，１６ｃ，４６ｂ  背面
１４  電子機器
１６  拡張装置
１７  ディスプレイ
１８  スタンド部
２８  機器側第１磁石列
２８ａＳ〜２８ｄＳ  機器側第１磁石
３０，６６  機器側装着用磁石列
３０ａＳ，３０ｂＮ，３０ｃＳ，３０ｄＮ，６６ａＳ，６６ｂＮ，６６ｃＳ，６６ｄＮ  機器側装着用磁石
３２  機器側第２磁石列
３２ａＳ〜３２ｄＳ，３２ｅＳ，３２ｆＳ  機器側第２磁石
３４  機器側第３磁石列
３４ａＮ〜３４ｆＮ  機器側第３磁石
３６  機器側収納用磁石列
３６ａＳ，３６ｂＮ，３６ｃＳ，３６ｄＮ  機器側収納用磁石
４０  キーボード部
４４  装着部
４６  フレキシブルヒンジ部
４８  装着用磁石列
４８ａＮ，４８ｂＳ，４８ｃＮ，４８ｄＳ  装着用磁石
４８ｅＮ〜４８ｈＮ  補助装着用磁石
５０  第１磁石列
５０ａＮ〜５０ｆＮ  第１磁石
５２  第２磁石列
５２ａＳ〜５２ｆＳ  第２磁石
６０  カバー部材
６６ｅＳ〜６６ｈＳ  機器側補助装着用磁石
【図１】
2017117269.tif 000003
【図２】
2017117269.tif 000004
【図３】
2017117269.tif 000005
【図４】
2017117269.tif 000006
【図５】
2017117269.tif 000007
【図６】
2017117269.tif 000008
【図７】
2017117269.tif 000009
【図８】
2017117269.tif 000010
【図９】
2017117269.tif 000011
【図１０】
2017117269.tif 000012
【図１１】
2017117269.tif 000013
【図１２】
2017117269.tif 000014
【図１３】
2017117269.tif 000015
【図１４】
2017117269.tif 000016
【図１５】
2017117269.tif 000017
【手続補正書】
【提出日】平成29年2月8日(2017.2.8)
【手続補正１】
【補正対象書類名】特許請求の範囲
【補正対象項目名】全文
【補正方法】変更
【補正の内容】
【特許請求の範囲】
【請求項１】
携帯用情報機器と、該携帯用情報機器に着脱可能に装着され、前記携帯用情報機器に対する入力操作を行うキーボード部を備えたキーボード装置とを備える電子機器であって、
前記キーボード装置は、前記携帯用情報機器の一側面に沿って配設された機器側装着用磁石に対して吸着可能な装着用磁石を有する装着部と、
前記装着部と前記キーボード部との間を連結するフレキシブルヒンジ部と、
前記フレキシブルヒンジ部に設けられ、該フレキシブルヒンジ部の前記装着部側から前記キーボード部側に向かって互いに間隔を介して並設された第１磁石及び第２磁石とを備え、
前記携帯用情報機器は、前記一側面に直交する方向で前記機器側装着用磁石の一方側に設けられた機器側第１磁石と、
前記一側面に直交する方向で前記機器側装着用磁石の他方側に設けられた機器側第２磁石及び機器側第３磁石とを備えることを特徴とする電子機器。
【請求項２】
請求項１記載の電子機器において、
前記機器側第１磁石と前記機器側第２磁石とは、前記携帯用情報機器の表面に臨む極が同一に設定され、
前記機器側第２磁石と前記機器側第３磁石とは、前記携帯用情報機器の表面に臨む極が逆に設定されていることを特徴とする電子機器。
【請求項３】
請求項２記載の電子機器において、
前記キーボード装置の装着用磁石を前記携帯用情報機器の機器側装着用磁石に吸着させた状態で、前記フレキシブルヒンジ部の前記装着部と前記第１磁石との間となる位置を折り返した場合に、前記第２磁石を前記機器側第１磁石に吸着可能であることを特徴とする電子機器。
【請求項４】
請求項２又は３記載の電子機器において、
前記キーボード装置の装着用磁石を前記携帯用情報機器の機器側装着用磁石に吸着させ、前記第１磁石を前記機器側第２磁石に吸着させた状態で、前記フレキシブルヒンジ部の前記第１磁石と前記第２磁石との間となる位置を折り返した場合に、前記第１磁石と前記第２磁石の前記キーボード装置の裏面に臨む極同士を吸着可能であることを特徴とする電子機器。
【請求項５】
請求項２〜４のいずれか１項に記載の電子機器において、
前記キーボード装置の装着用磁石を前記携帯用情報機器の機器側装着用磁石に吸着させ、前記第１磁石を前記機器側第２磁石に吸着させた状態で、前記第２磁石を前記機器側第３磁石に吸着可能であることを特徴とする電子機器。
【請求項６】
請求項１〜５のいずれか１項に記載の電子機器において、
前記携帯用情報機器は、前記機器側装着用磁石を設けた表面の裏面側となる背面に前記装着用磁石を吸着可能な機器側収納用磁石を有することを特徴とする電子機器。
【請求項７】
請求項１〜６のいずれか１項に記載の電子機器において、
前記携帯用情報機器は、タッチ操作可能なディスプレイを備えたタブレット型のパーソナルコンピュータであり、その背面に該携帯用情報機器を起立姿勢に保持するスタンド部を備えることを特徴とする電子機器。
【請求項８】
請求項１〜７のいずれか１項に記載の電子機器において、
前記第１磁石と前記第２磁石とは、前記キーボード装置の表面に臨む極が逆に設定されていることを特徴とする電子機器。
【手続補正３】
【補正対象書類名】明細書
【補正対象項目名】０００１
【補正方法】変更
【補正の内容】
【０００１】
本発明は、携帯用情報機器に対して着脱可能なキーボード装置と携帯用情報機器とを備える電子機器に関する。
【手続補正４】
【補正対象書類名】明細書
【補正対象項目名】０００７
【補正方法】変更
【補正の内容】
【０００７】
本発明は、上記従来技術の課題を考慮してなされたものであり、キーボード部の角度を調整して操作性を向上させることができるキーボード装置と携帯用情報機器とを備える電子機器を提供することを目的とする。
【手続補正５】
【補正対象書類名】明細書
【補正対象項目名】０００８
【補正方法】変更
【補正の内容】
【０００８】
本発明に係る電子機器は、携帯用情報機器と、該携帯用情報機器に着脱可能に装着され、前記携帯用情報機器に対する入力操作を行うキーボード部を備えたキーボード装置とを備える電子機器であって、前記キーボード装置は、前記携帯用情報機器の一側面に沿って配設された機器側装着用磁石に対して吸着可能な装着用磁石を有する装着部と、前記装着部と前記キーボード部との間を連結するフレキシブルヒンジ部と、前記フレキシブルヒンジ部に設けられ、該フレキシブルヒンジ部の前記装着部側から前記キーボード部側に向かって互いに間隔を介して並設された第１磁石及び第２磁石とを備え、前記携帯用情報機器は、前記一側面に直交する方向で前記機器側装着用磁石の一方側に設けられた機器側第１磁石と、前記一側面に直交する方向で前記機器側装着用磁石の他方側に設けられた機器側第２磁石及び機器側第３磁石とを備えることを特徴とする。
【手続補正６】
【補正対象書類名】明細書
【補正対象項目名】０００９
【補正方法】変更
【補正の内容】
【０００９】
このような構成によれば、キーボード装置は、キーボード部と装着部との間にフレキシブルヒンジ部を備えるため、携帯用情報機器に対して装着部を装着した状態でフレキシブルヒンジ部を介してキーボード部を所望の角度姿勢に配置でき、携帯用情報機器をノート型ＰＣのように使用することが可能となる。しかも、フレキシブルヒンジ部には互いに間隔を介して並設された第１磁石及び第２磁石が設けられている。このため、これら第１磁石及び第２磁石を携帯用情報機器側の他の磁石に適宜吸着させることで、キーボード部の設置角度を３段階に調整して操作性を向上させることができる。また、このような構成によれば、キーボード装置の第１磁石及び第２磁石を、携帯用情報機器側の機器側第１磁石、機器側第２磁石及び機器側第３磁石に適宜吸着させることができ、キーボード部の設置角度の調整自由度が確保される。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００２１
【補正方法】変更
【補正の内容】
【００２１】
以下、本発明に係る電子機器を例示して好適な実施の形態を挙げ、添付の図面を参照しながら詳細に説明する。
【手続補正書】
【提出日】平成29年4月21日(2017.4.21)
【手続補正１】
【補正対象書類名】特許請求の範囲
【補正対象項目名】全文
【補正方法】変更
【補正の内容】
【特許請求の範囲】
【請求項１】
携帯用情報機器と、該携帯用情報機器に着脱可能に装着され、前記携帯用情報機器に対する入力操作を行うキーボード部を備えたキーボード装置とを備える電子機器であって、
前記キーボード装置は、前記携帯用情報機器の一側面に沿って配設された機器側装着用磁石に対して吸着可能な装着用磁石を有する装着部と、
前記装着部と前記キーボード部との間を連結するフレキシブルヒンジ部と、
前記フレキシブルヒンジ部に設けられ、該フレキシブルヒンジ部の前記装着部側から前記キーボード部側に向かって互いに間隔を介して並設された第１磁石及び第２磁石とを備え、
前記携帯用情報機器は、前記一側面に直交する方向で前記機器側装着用磁石の一方側に設けられた機器側第１磁石と、
前記一側面に直交する方向で前記機器側装着用磁石の他方側に設けられた機器側第２磁石及び機器側第３磁石とを備えることを特徴とする電子機器。
【請求項２】
請求項１記載の電子機器において、
前記機器側第１磁石と前記機器側第２磁石とは、前記携帯用情報機器の表面に臨む極が同一に設定され、
前記機器側第２磁石と前記機器側第３磁石とは、前記携帯用情報機器の表面に臨む極が逆に設定されていることを特徴とする電子機器。
【請求項３】
請求項２記載の電子機器において、
前記キーボード装置の装着用磁石を前記携帯用情報機器の機器側装着用磁石に吸着させた状態で、前記フレキシブルヒンジ部の前記装着部と前記第１磁石との間となる位置を折り返した場合に、前記第２磁石を前記機器側第１磁石に吸着可能であることを特徴とする電子機器。
【請求項４】
請求項２又は３記載の電子機器において、
前記キーボード装置の装着用磁石を前記携帯用情報機器の機器側装着用磁石に吸着させ、前記第１磁石を前記機器側第２磁石に吸着させた状態で、前記フレキシブルヒンジ部の前記第１磁石と前記第２磁石との間となる位置を折り返した場合に、前記第１磁石と前記第２磁石の前記キーボード装置の裏面に臨む極同士を吸着可能であることを特徴とする電子機器。
【請求項５】
請求項２〜４のいずれか１項に記載の電子機器において、
前記キーボード装置の装着用磁石を前記携帯用情報機器の機器側装着用磁石に吸着させ、前記第１磁石を前記機器側第２磁石に吸着させた状態で、前記第２磁石を前記機器側第３磁石に吸着可能であることを特徴とする電子機器。
【請求項６】
請求項１〜５のいずれか１項に記載の電子機器において、
前記携帯用情報機器は、前記機器側装着用磁石を設けた表面の裏面側となる背面に前記装着用磁石を吸着可能な機器側収納用磁石を有することを特徴とする電子機器。
【請求項７】
請求項１〜６のいずれか１項に記載の電子機器において、
前記携帯用情報機器は、タッチ操作可能なディスプレイを備えたタブレット型のパーソナルコンピュータであり、前記携帯用情報機器の背面に該携帯用情報機器を起立姿勢に保持するスタンド部を備えることを特徴とする電子機器。
【請求項８】
請求項１〜７のいずれか１項に記載の電子機器において、
前記第１磁石と前記第２磁石とは、前記キーボード装置の表面に臨む極が逆に設定されていることを特徴とする電子機器。
【手続補正２】
【補正対象書類名】明細書
【補正対象項目名】００１８
【補正方法】変更
【補正の内容】
【００１８】
前記携帯用情報機器は、タッチ操作可能なディスプレイを備えたタブレット型のパーソナルコンピュータであり、前記携帯用情報機器の背面に該携帯用情報機器を起立姿勢に保持するスタンド部を備える構成であってもよい。